(57)【特許請求の範囲】
【請求項１】
医薬品又は医療機器を入れる薬品トレイであって、略四角形の内底面と、内底面の４辺から立設された正面立壁、背面立壁、左側立壁及び右側立壁があり、上方が開放されていて、内底面と前記４面の立壁によって凹部が形成されたトレイ本体を備えた薬品トレイにおいて、
前記トレイ本体の内底面には、トレイ本体の凹部側に隆起したリブがあり、
トレイ本体の凹部を複数の区画に仕切る仕切り板を有し、
前記仕切り板の一部であって前記トレイ本体の内底面側と対向する辺に保持片が垂下し、
前記保持片には、表面側保持片と裏面側保持片とがあり、
前記表面側保持片と裏面側保持片は仕切り板の肉厚方向に間隔を有し、且つ表面側保持片の仕切り板底辺の長手方向の位置と裏面側保持片の仕切り板底辺の長手方向の位置とが食い違った位置にあり、
前記保持片は内面がリブの側面と接する保持面であり、
表面側保持片の保持面と裏面側保持片の保持面によってリブの両側面を保持した状態で仕切り板がトレイ本体に装着されていることを特徴とする薬品トレイ。
【請求項２】
トレイ本体の内底面には、縦横方向にリブがあって、両者の交差部があり、前記裏面側保持片と表面側保持片には保持面と端面があり、前記裏面側保持片と表面側保持片の保持面は前記交差部を挟んで縦横方向リブの内の一方のリブを保持し、且つ前記裏面側保持片と表面側保持片の端面は前記縦横方向リブの内の他方のリブと当接していることを特徴とする請求項１に記載の薬品トレイ。
【請求項３】
前記トレイ本体の対向する一組又は二組の立壁に係合溝があり、
仕切り板の側面がトレイ本体の前記係合溝と係合することを特徴とする請求項１又は２に記載の薬品トレイ。
【請求項４】
仕切り板の側面には突起があり、トレイ本体の立壁には前記突起と係合する開口又は凹部があることを特徴とする請求項３に記載の薬品トレイ。
【請求項５】
少なくともいずれか一つの立壁には多数の開口が設けられていて網状を呈し、前記開口の少なくとも一つに、前記仕切り板の側面に設けられた前記突起が係合することを特徴とする請求項４に記載の薬品トレイ。
【請求項６】
前記トレイ本体の外周の底たる外側接地面に、多数の凹部があり、前記凹部の中の一群は、長穴状であって、四角形の外側接地面に対して斜め方向に延びていることを特徴とする請求項１乃至５のいずれかに記載の薬品トレイ。
【請求項７】
前記トレイ本体の外周の底たる外側接地面であって前記リブに相当する位置は直線的に延びる溝状部となっており、当該溝状部の一部には溝が消失して他の部位と高さが同一となった埋設部が設けられていることを特徴とする請求項１乃至６のいずれかに記載の薬品トレイ。
【請求項８】
４面の立壁の内の対向する少なくとも一組の立壁は、少なくとも内底面から１ｃｍの高さの領域が開口の無い密閉領域であり、前記一組の立壁の少なくとも一つは、密閉領域よりも上の領域の一部または全部に、多数の開口が設けられていることを特徴とする請求項１乃至７のいずれかに記載の薬品トレイ。
【請求項９】
トレイ本体のいずれかの立壁の外側下部には、当該立壁から突出すると共に薬品トレイが重ねられた際に他の薬品トレイの上端に当接するフランジ部があり、
フランジ部が設けられた立壁の少なくとも一つには、フランジ部よりも上部側に多数の開口が設けられていることを特徴とする請求項１乃至８のいずれかに記載の薬品トレイ。
【発明の詳細な説明】
【技術分野】
【０００１】
本発明は、薬局や医療現場等で使用される薬品トレイに関するものである。
【背景技術】
【０００２】
患者を診察した医師は、患者の病状に応じた処方を行い、処方箋を作成する。
作成された処方情報は、薬局に送付され、薬剤師によって調剤が行われたり、自動薬剤払出装置等にデータが送信され、患者ごとに処方に基づく医薬品が自動で取り揃えられる。
【０００３】
そして患者が入院患者であるならば、注射薬等の医薬品は、病棟ごとにまた患者ごとに取り揃えられ、看護師等により患者への投与がなされる。
特に入院患者における注射薬においては、患者の症状に対応した処方がなされており、それらの薬品が確実に当該患者に確実に投与されなければならず間違えることは許されない。
そのため病院、特に入院患者が多い大病院では、間違いを防ぐために、個々の患者に投与すべき医薬品を一つの薬品トレイに収納しておくことが行われている。
即ち複数の薬品トレイを準備し、例えば患者Ａに処方された医薬品をすべて、一つの薬品トレイに収納し、当該薬品トレイに、例えば、「実施日、患者名、病棟名、主治医名」といった情報を記載した表示部材（リライトカード、電子ペーパ等）を付ける。
【０００４】
また患者に提供される医薬品には、例えば、朝食後服用、昼食後服用、夕食後服用、頓服という様に、服用時期が指定される場合が多い。そのため薬品トレイの内部に仕切りを設け、処方された医薬品が服用時期別に整理される場合が多い。
この様な薬品トレイが、例えば特許文献１，２，３に開示されている。特許文献２に開示された薬品トレイ１００は、樹脂によって成形されたものであり、図２９に示す様に、内底部１０１と、４面の立壁部１０２，１０３，１０４，１０５を有している。また薬品トレイ１００の内部は、仕切り１０７によって４領域に仕切られている。
特許文献２に開示された薬品トレイ１００では、内底部１０１及び各立壁部１０２，１０３，１０４，１０５は、仕切り１０７を挿入する部分を除いて平滑である。即ち特許文献２に開示された薬品トレイ１００は、内底部１０１を構成する部位の肉厚及び各立壁部１０２，１０３，１０４，１０５の肉厚が略均一である。
【０００５】
同様に特許文献１にも薬品トレイ２０９が開示されている。特許文献１に開示された薬品トレイ２０９では、内部が３領域に仕切られている。
【０００６】
また近年、大規模な病院や薬局では、処方箋に応じて医薬品を揃える作業を自動化する薬剤払出装置や、調剤システムが導入されている。
前記した特許文献１は、薬剤払出装置２００を開示するものである。
特許文献１に開示された薬剤払出装置２００は、図２８の様に装置本体２０１に、トレイ供給部２０２と、トレイ回収部２０３、ラベル供給部２０４、トレイ搬送部２０５、アンプル供給部２０６、注射箋供給部２０７および制御部２０８を有している。
そしてトレイ供給部２０２からトレイ１００を供給すると共に図示しないラベルプリンタでラベルに薬品名等を印刷して前記トレイ１００にラベルを取り付ける。
その後、トレイ搬送部２０５を駆動してトレイ１００を移動させ、トレイ１００を所定の位置に停止させる。そしてアンプル供給部２０６から薬剤のアンプル（図示せず）を払出してトレイ１００にアンプルを収容する。
【０００７】
また特許文献２にはより大がかりな調剤システム１１０が開示されている。特許文献２に開示された調剤システム１１０は、図３０の様に、薬品トレイ供給ゾーン１１１と、薬剤選択供給ゾーン１１２と、書誌的事項記録ゾーン１１３と、積載ゾーン１１５とに分かれており、これらの間に搬送コンベア１１６が配されたものである。なお搬送コンベア１１６としては、例えば特許文献４の様なローラコンベアが採用される場合が多い。
【０００８】
薬品トレイ供給ゾーン１１１は、図３０においては、５台の薬品トレイ供給装置１１７が配置されている。薬品トレイ供給装置１１７には、それぞれ複数の薬品トレイ１００がストックされている（図３０には図示せず）。そして薬品トレイ供給装置１１７から薬品トレイ１００が一つづつ排出されて、搬送コンベア１１６に載置される。
【０００９】
薬剤選択供給ゾーン１１２には、５台の薬剤払出し装置１２０乃至１２４が設置されている。
薬剤選択供給ゾーン１１２では、各薬剤払出し装置１２０乃至１２４から処方箋に応じた薬剤が払い出され、薬品トレイ１００に収容される。
【００１０】
書誌的事項記録ゾーン１１３は、薬品トレイ１００に付された図示しないカードに、間者名や主治医名、病室番号等を書き込む書き込み装置１２５が配置されている。
【００１１】
積載ゾーン１１５は、積み上げリフター１２６と、カート供給部１２７及びカート待機部１２８が配置されている。
またカート待機部１２８の近傍には、空カート置場１３０があり、カート供給部１２７の近傍には、積載済カート置場１３１がある。
【００１２】
積載ゾーン１１５では、カート１３２に薬品トレイ１００が積み込まれる。
即ち空カート置場１３０に整理されて置かれた空のカート１３２は、カート待機部１２８を経てカート供給部１２７に送られる。そして空のカート１３２がカート供給部１２７に仮固定される。
一方、搬送コンベア１１６によって運ばれて来た薬品トレイ１００は、積み上げリフター１２６によって所定の高さに持ち上げられ、空のカート１３２に順次積み込まれる。積み込みを終えたカート１３２は、積載済カート置場１３１に移動される。
【００１３】
この様に、調剤システム１１０では、空の薬品トレイ１００が、搬送コンベア１１６に載置され、薬剤選択供給ゾーン１１２で処方に応じた医薬品が供給され、書誌的事項記録ゾーン１１３で患者名等が記載される。そして一連の作業を終えた薬品トレイ１００が、積載ゾーン１１５でカート１３２に積み込まれる。
【先行技術文献】
【特許文献】
【００１４】
【特許文献１】特開２００７−１１７７０８号公報
【特許文献２】特開２０１１−１９０１０５号公報
【特許文献３】特開２００３−７９７００号公報
【特許文献４】特開２０１１−２０７９３号公報
【特許文献５】特開２００８−１１９５０３公報
【発明の概要】
【発明が解決しようとする課題】
【００１５】
特許文献１他に記載の薬品トレイ１００は、使い勝手が良く、医療現場等で重宝されている。しかしながら、特許文献１に記載の薬品トレイ１００は、重量が重いという不満があり、軽量化が望まれている。
即ち、薬品トレイ１００に求められる第１の要求品質として、軽量化があげられる。
ここで、薬品トレイ１００の底部１０１や立壁部１０２，１０３，１０４，１０５の肉厚を薄くすれば、当然に薬品トレイ１００の重量は低下する。しかしながら、単に肉厚を薄くすると、全体の剛性が低下し、実用に耐えないという問題が新たに生じる。また前記のように自動調剤装置で用いられることが多いため、機械による保持力等にも対応できる最低限の強度が必要である。即ち薬品トレイには、錠剤や散薬ばかりでなく、注射薬等の液状の薬剤や、簡単な医療器具も入れられるため、それらを保護し、安全に搬送する機能も要求される。
【００１６】
具体的には、点滴薬、注射薬、浣腸といった液体についても、薬品トレイ１００に入れて運搬される。
ここで輸液等の点滴薬や浣腸は、相当の液量があり、重量が重い。また浣腸器は、通常の注射器に比べて格段に大きく、重い。
そのため薬品トレイ１００の肉厚を薄くすると、これらの重量物を運搬する際に変形し、持ちにくい。
【００１７】
また薬品トレイ１００に要求される他の品質として、次の２点がある。
即ち他の要求品質として、静寂性（第２の要求品質）と、液漏れがないこと（第３の要求品質）があげられる。
第２の要求品質として挙げられる静寂性は、前記した様な薬剤払出装置２００や調剤システム１１０の採用と関連するものである。即ち前記した様な薬剤払出装置２００や調剤システム１１０で薬品トレイ１００を使用した場合に、騒音を発しないことが大切である。
前記した様な調剤システム１１０等では、ローラコンベア等の搬送コンベア１１６によって薬品トレイ１００が搬送される。そして事実上、調剤システム１１０は、外来患者が帰った後で運転される場合が多く、夜間に調剤システム１１０等が稼働することとなる。そのため搬送コンベア１１６で薬品トレイ１００を搬送する際に、騒音を発することは好ましくない。
【００１８】
また第３の要求品質として挙げられる液漏れについては、薬品トレイ１００を積み重ねたり、薬品トレイ１００をカート１３２に積むことに関連するものである。
即ち、前記した様に、薬品トレイ１００には、錠剤や散薬ばかりでなく、注射薬等の液状の薬剤も入れられる。注射薬は、アンプル等のガラス容器に収納されている。そのため搬送中に、容器が割れて液が漏れることがある。また自動調剤システムから薬品トレイ１００に払い出された際に割れる可能性もゼロではない。そしてカート１３２で薬品トレイ１００を運搬する場合や、手で薬品トレイ１００を運搬する場合は、薬品トレイ１００が積み重ねられているので、薬品トレイ１００から注射薬等が漏れると、下の薬品トレイ１００内の医薬品が汚染されてしまう。そのため薬品トレイ１００は液漏れしないことが望ましい。
【００１９】
本発明は、前記した問題点や要求品質の中で、第１の要求品質として挙げられた軽量化を果たすことを目的とするものである。即ち本発明は、薬品トレイ１００の軽量化を第一の目的として開発されたものである。
【課題を解決するための手段】
【００２０】
上記した目的を達成するための請求項１に記載の発明は、医薬品又は医療機器を入れる薬品トレイであって、略四角形の内底面と、内底面の４辺から立設された正面立壁、背面立壁、左側立壁及び右側立壁があり、上方が開放されていて、内底面と前記４面の立壁によって凹部が形成されたトレイ本体を備えた薬品トレイにおいて、前記トレイ本体の内底面には、トレイ本体の凹部側に隆起したリブがあり、トレイ本体の凹部を複数の区画に仕切る仕切り板を有し、前記仕切り板の一部であって前記トレイ本体の内底面側と対向する辺に保持片が垂下し、前記保持片には、表面側保持片と裏面側保持片とがあり、前記表面側保持片と裏面側保持片は仕切り板の肉厚方向に間隔を有し、且つ表面側保持片の仕切り板底辺の長手方向の位置と裏面側保持片の仕切り板底辺の長手方向の位置とが食い違った位置にあり、前記保持片は内面がリブの側面と接する保持面であり、表面側保持片の保持面と裏面側保持片の保持面によってリブの両側面を保持した状態で仕切り板がトレイ本体に装着されていることを特徴とする薬品トレイである。  
即ち請求項１に記載の発明は、医薬品又は医療機器を入れる薬品トレイであって、略四角形の内底面と、内底面の４辺から立設された正面立壁、背面立壁、左側立壁及び右側立壁があり、上方が開放されていて、内底面と前記４面の立壁によって凹部が形成されたトレイ本体を備えた薬品トレイにおいて、前記トレイ本体の内底面には、トレイ本体の凹部側に隆起したリブがある。
【００２１】
ここで正面立壁、背面立壁、左側立壁、右側立壁の名称は、単に対向する位置関係を示したものに過ぎず、どの壁面が正面立壁であってもよい。
即ちいずれが正面立壁であっても良いが、正面立壁に対向するのが背面立壁であり、それ以外の２面が、左側立壁と右側立壁である。
本発明の薬品トレイでは、その内底面に、トレイ本体の凹部側に隆起したリブがある。そのため、内底面を構成する部位の肉厚を薄くしても内底面全体の断面係数は維持され、剛性を確保することができる。
また前記したリブは、トレイ本体の凹部側に隆起するものである。そのためトレイ本体の裏面側には大きな突出部はできない。その結果、搬送コンベアに載置されて運搬されるとき、搬送コンベアのローラやプーリが衝突することがなく、静寂性が保たれる。
さらにアンプル等は円柱形であり、転がり易い形状であるが、本発明の薬品トレイは、トレイ本体の凹部側に隆起したリブがあるため、アンプル等が転がる範囲が規制される。即ち薬品トレイが前記した特許文献１の様な薬剤払出装置２００に使用された場合、装置内の搬送装置で薬品トレイが搬送されるが、その際の慣性力によってアンプル等が転がる場合がある。そして仮にアンプル等が長い距離を転がり、何かと衝突して停止すると、アンプル等が保有する速度や回転エネルギーが大きいためにアンプルが破損する場合がある。これに対して本発明では、トレイ本体の凹部側に隆起したリブがあるため、アンプル等が転がる範囲が規制され、アンプル等に勢いが付く以前にアンプル等の転がりが阻止される。そのため本発明の薬品トレイによると、アンプル等が壊れにくい。
【００２２】
トレイ本体の凹部を複数の区画に仕切る仕切り板を有し、前記仕切り板の一部であって前記トレイ本体の内底面側と対向する辺に前記リブを保持する保持片が設けられており、前記仕切り板の保持片が前記リブを保持した状態で、仕切り板がトレイ本体に装着されていることが望ましい。
【００２３】
本発明の薬品トレイは、仕切り板を有し、仕切り板によって内部が仕切られている。
また本発明では仕切り板に保持片が設けられており、仕切り板の保持片が前記リブを保持した状態で、仕切り板がトレイ本体に装着されている。そのため仕切り板とトレイ本体の底部との間に一体性があり、全体としての断面係数が高く、剛性が高い。
【００２４】
保持片には、仕切り板の底辺近傍部にあって、板厚方向の表面側から垂下された表面側保持片と、板厚方向の裏面側から垂下された裏面側保持片とがあり、表面側保持片の仕切り板底辺の長手方向の位置と、裏面側保持片の仕切り板底辺の長手方向の位置とが食い違っていることが望ましい。
【００２５】
本発明の薬品トレイでは、表面側保持片の仕切り板底辺の長手方向の位置と、裏面側保持片の仕切り板底辺の長手方向の位置とが食い違っているので、保持片をリブに装着し易く、固定性も向上できる。
【００２６】
請求項２に記載の発明は、トレイ本体の内底面には、縦横方向にリブがあって、両者の交差部があり、前記裏面側保持片と表面側保持片には保持面と端面があり、前記裏面側保持片と表面側保持片の保持面は前記交差部を挟んで縦横方向リブの内の一方のリブを保持し、且つ前記裏面側保持片と表面側保持片の端面は前記縦横方向リブの内の他方のリブと当接していることを特徴とする請求項１に記載の薬品トレイである。
【００２７】
本発明の薬品トレイでは、保持片がリブの交差部を保持している。そのため、保持片は、縦横両方向に移動が阻止され、仕切り板がぐらつかない。また、反ったり歪んだりしにくい。
【００２８】
請求項３に記載の発明は、前記トレイ本体の対向する一組又は二組の立壁に係合溝があり、仕切り板の側面がトレイ本体の前記係合溝と係合することを特徴とする請求項１又は２に記載の薬品トレイである。
【００２９】
本発明によると、仕切り板の側面がトレイ本体の係合溝と係合した状態で、仕切り板がトレイ本体に装着されている。そのため仕切り板とトレイ本体の一体性が高まり、全体としての断面係数が高く、剛性が高い。
【００３０】
請求項４に記載の発明は、仕切り板の側面には突起があり、トレイ本体の立壁には前記突起と係合する開口又は凹部があることを特徴とする請求項３に記載の薬品トレイである。
【００３１】
本発明の薬品トレイでは、仕切り板の側面に設けられた突起が、トレイ本体の立壁に設けられた開口等と係合するので、仕切り板が不用意に外れることがない。
【００３２】
請求項５に記載の発明は、少なくともいずれか一つの立壁には多数の開口が設けられていて網状を呈し、前記開口の少なくとも一つに、前記仕切り板の側面に設けられた前記突起が係合することを特徴とする請求項４に記載の薬品トレイである。
【００３３】
本発明の薬品トレイでは、立壁が網状であるために全体の重量が軽い。
【００３４】
請求項６に記載の発明は、前記トレイ本体の外周の底たる外側接地面に、多数の凹部があり、前記凹部の中の一群は、長穴状であって、四角形の外側接地面に対して斜め方向に延びていることを特徴とする請求項１乃至５のいずれかに記載の薬品トレイである。
【００３５】
本発明の薬品トレイは、トレイ本体の外周の底面に、多数の凹部が設けられているために軽い。また凹部の中の一群は、長穴状であって、四角形の底面に対して斜め方向に延びている。そのため薬品トレイが搬送コンベアに載置されて搬送される際に、ローラ等が凹部に落ち込むことがなく、静寂性が保たれる。
【００３６】
請求項７に記載の発明は、前記トレイ本体の外周の底たる外側接地面であって前記リブに相当する位置は直線的に延びる溝状部となっており、当該溝状部の一部には溝が消失して他の部位と高さが同一となった埋設部が設けられていることを特徴とする請求項１乃至６のいずれかに記載の薬品トレイである。
【００３７】
本発明においても、薬品トレイが搬送コンベアに載置されて搬送される際に、ローラ等が凹部に落ち込むことがなく、静寂性が保たれる。
【００３８】
請求項８に記載の発明は、薬品トレイは、容器に詰められた液体が入れられる可能性がある場合に適する。
請求項８に記載の発明は、４面の立壁の内の対向する少なくとも一組の立壁は、少なくとも内底面から１ｃｍの高さの領域が開口の無い密閉領域であり、前記一組の立壁の少なくとも一つは、密閉領域よりも上の領域の一部または全部に、多数の開口が設けられていることを特徴とする請求項１乃至７のいずれかに記載の薬品トレイである。
【００３９】
本発明の薬品トレイは、立壁に多数の開口が設けられているので軽い。その一方で、少なくとも内底面から１ｃｍの高さの領域が開口の無い密閉領域であるから、薬品トレイ内に薬液が漏れても、外に薬液が漏れ出ることはない。
【００４０】
請求項９に記載の発明は、トレイ本体のいずれかの立壁の外側下部には、当該立壁から突出すると共に薬品トレイが重ねられた際に他の薬品トレイの上端に当接するフランジ部があり、フランジ部が設けられた立壁の少なくとも一つには、フランジ部よりも上部側に多数の開口が設けられていることを特徴とする請求項１乃至８のいずれかに記載の薬品トレイである。
【００４１】
本発明の薬品トレイでは、立壁から突出すると共に薬品トレイが重ねられた際に他の薬品トレイの上端に当接するフランジ部がある。そのため薬品トレイが重ねられた際、下の薬品トレイの中に入るのは、フランジ部よりも下の部分である。本発明では、前記したフランジ部よりも上に開口があるから、上の薬品トレイ内の注射薬や輸液が漏れても、下の薬品トレイに入らない。また漏れた液は、フランジ部が庇になって下の薬品トレイの外に流れる。そのため、下の薬品トレイは汚染されない。
【００４２】
内底面の凹部側には、縦横方向にそれぞれ複数のリブがあり、内底面は前記リブによって複数の閉塞された領域に区切られていることが望ましい。
この構成を採用すると、液が漏れても少量ならば、閉塞されたエリア内で止まる。
【発明の効果】
【００４３】
本発明の薬品トレイは、重量が軽く、扱い易い。
【図面の簡単な説明】
【００４４】
【図１】本発明の実施形態の薬品トレイの斜視図である。
【図２】図１の薬品トレイの正面図及びその部分拡大図である。
【図３】図１の薬品トレイのトレイ本体の右側面図及びその部分拡大図である。
【図４】図１の薬品トレイのトレイ本体の背面図である。
【図５】図１の薬品トレイのトレイ本体（表示部材用ホルダー付）の平面図である。
【図６】図１の薬品トレイのトレイ本体の底面図である。
【図７】図１の薬品トレイの分解斜視図である。
【図８】図７とは異なる方向から観察した図１の薬品トレイのトレイ本体の斜視図である。
【図９】図２のＡ−Ａ断面における端面の拡大図である。
【図１０】図３のＡ−Ａ断面における端面の拡大図である。
【図１１】図１の薬品トレイの右側立壁の部分断面拡大斜視図である。
【図１２】図１の薬品トレイの仕切り板を下側から観察した斜視図及び係合片近傍の拡大図である。
【図１３】図１の薬品トレイの内底面のリブと、仕切り板との関係を示す分解斜視図である。
【図１４】図１の薬品トレイの内底面のリブと、仕切り板との関係を示す断面斜視図である。
【図１５】左側立壁及び右側立壁に設けられた係合溝と、仕切り板との関係を示す分解斜視図である。
【図１６】左側立壁及び右側立壁に設けられた係合溝と、仕切り板との関係を示す断面図である。
【図１７】図１の薬品トレイを重ねた状態を示す斜視図である。
【図１８】図１７の積み上げられた薬品トレイから液体が溢れた場合の様子を示す要部斜視図である。
【図１９】図１の薬品トレイを成形するための射出成形型の断面図である。
【図２０】図１の薬品トレイを搬送コンベアに載置した状態を示す斜視図である。
【図２１】図１の薬品トレイを裏返して外周の底たる外側接地面を観察した斜視図である。
【図２２】図１の薬品トレイの外側接地面の形状を示す説明図である。
【図２３】図１の薬品トレイの意匠的に特徴のある部分を実線で示し、他を破線で表示した薬品トレイの平面図である。
【図２４】図２３の薬品トレイの底面図である。
【図２５】図２３の薬品トレイの右側面図（左側面図も同じ）である。
【図２６】図２３の薬品トレイの正面図（背面図も同じ）である。
【図２７】図２３の薬品トレイのリブの形状だけを表示した説明図である。
【図２８】特許文献１に開示された薬剤払出装置の正面図である。
【図２９】特許文献２に開示された薬品トレイの斜視図である。
【図３０】特許文献２に開示された調剤システムのレイアウト図である。
【発明を実施するための形態】
【００４５】
以下さらに本発明の実施形態について説明する。
以下の説明において、上下、天地の関係は、薬品トレイ１を使用する場合の姿勢を基準とし、開口側が上である。また薬品トレイ１の凹部１７の底を内底面１０と言い、薬品トレイ１全体の底面を外側接地面７０と称する事とする。
以下の説明においては、最初に薬品トレイ１の大まかな構造について説明し、後で細かい工夫点を説明する。
本実施形態の薬品トレイ１は、前記した特許文献１に開示された様な薬剤払出装置２００や、特許文献２に開示された様な調剤システム１１０に採用されるものである。また薬品トレイ１には、散薬や錠剤、カプセル等の固形の薬剤だけでなく、注射薬や点滴液等の医薬品も入れられる。さらに、注射器や浣腸器、体温計等の日常的な医療機器を入れる場合もある。
【００４６】
薬品トレイ１は、一つのトレイ本体２と、３枚の仕切り板３ａ，３ｂ，３ｃ及び表示部材用ホルダー４によって構成されている。
薬品トレイ１のトレイ本体２は、全体的に凹形をしており、その内部が、３枚の仕切り板３ａ，３ｂ，３ｃによって図１の様に４個の区画５ａ，５ｂ，５ｃ，５ｄに区切られている。
【００４７】
薬品トレイ１のトレイ本体２は、公知のそれと同様に、長方形（四角形）の内底面１０と、内底面の４辺から立設された正面立壁１１、背面立壁１２、左側立壁１３及び右側立壁１５を有し、上方が開放されている。薬品トレイ１は、図１，７，８の様に内底面１０と、正面立壁１１、背面立壁１２、左側立壁１３及び右側立壁１５に囲まれた凹部１７があり、当該凹部１７は、医薬品等が収容される空間となっている。
なお本実施形態の薬品トレイ１は、４面の立壁１１，１２，１３，１５を有し、内底面１０の短辺から立設された立壁１１を正面壁と称しているが、正面壁の特定は、説明の便宜上行ったに過ぎず、いずれの立壁１１，１２，１３，１５が正面立壁であってもよい。
【００４８】
本実施形態では、トレイ本体２の開口部には、外向きの開口側フランジ部２０が設けられている。即ち各立壁１１，１２，１３，１５の頂部は、外向きに折り返された形状をしている。
開口側フランジ部２０を平面視すると、図５の様に、長方形の枠状である。
【００４９】
トレイ本体２の内底面１０に注目すると、図５，７，８の様に長手方向に２本のリブ２１ａ，２１ｂが設けられている。また内底面１０の短手方向に３本のリブ２２ａ，２２ｂ，２２ｃが設けられている。長手方向のリブ２１ａ，２１ｂ及び短手方向のリブ２２ａ，２２ｂ，２２ｃはいずれも等間隔に設けられており、トレイ本体２の内底面１０を図５の様に１２の区画２３に区切っている。
この様にトレイ本体２の内底面１０には縦横方向にリブ２１，２２があり、両者は６か所で交差する。即ち本実施形態では、トレイ本体２の内底面１０には、図５の様に６個のリブ交差部２６がある。
【００５０】
長手方向のリブ２１ａ，２１ｂ及び短手方向のリブ２２ａ，２２ｂ，２２ｃは、いずれも内底面１０の一辺側から対向する辺側に向かって連続的に形成されている。
またリブ２１ａ，２１ｂ，２２ａ，２２ｂ，２２ｃは、いずれもトレイ本体２の凹部側に隆起するものである（図１３参照）。
【００５１】
また後記する様に、正面立壁１１から内底面１０にかけて切り欠き部３０が形成されており、内底面１０の切り欠き部３０の周囲には、図５，７，８の様に土手部３１が形成されている。土手部３１は、僅かに盛り上がった隆起部である。
【００５２】
次に、各立壁１１，１２，１３，１５について説明する。
正面立壁１１の外観形状は、板壁状であり、中央に四角形の開口３２が設けられている。開口３２の幅は、正面立壁１１の幅の約３分の１に相当する。
正面立壁１１には、前記した開口３２以外に開口する部位は無い。
正面立壁１１の外壁側に注目すると、外壁側の略全面には、図２の様に、正面視が長方形の凹部３３が規則的に設けられている。
即ち本実施形態では、正面立壁１１の中央の開口３２を挟んだ二つの領域に、それぞれ８個づつ長方形の凹部３３が設けられている。そして長方形の凹部３３は、それぞれの領域で、横２列、縦４列に並べられている。
長方形の凹部３３を別の角度から説明すると、図２の様に横２列の長方形の凹部３３の間に、水平の背骨線３５があり、当該水平の背骨線３５から前後に肋骨線３６が設けられていると言える。
そして各長方形の凹部３３は、水平の背骨線３５と、上下に延びる肋骨線３６に接している。
【００５３】
図８の様に、正面立壁１１の内壁側を見ると、前記した開口３２の周囲に、肉厚部３７がある。開口３２の周囲に設けられた肉厚部３７は、内底面１０に設けられた土手部３１と連続している。
また開口３２の両脇であって、開口３２から僅かに離れた位置に天地方向に延びる縦リブ３８が設けられている。
【００５４】
次に背面立壁１２について説明する。
背面立壁１２は、前記した正面立壁１１から開口３２を除いた形状である。
即ち背面立壁１２の外壁側に注目すると、外壁側の略全面に、正面視が長方形の凹部３３が規則的に設けられている。
即ち本実施形態では、背面立壁１２の外周全域に、長方形の凹部３３が設けられている。
長方形の凹部３３を別の角度から説明すると、横２列の長方形の凹部３３の間に、水平の背骨線３５があり、当該水平の背骨線３５から前後に肋骨線３６が設けられていると言え、各長方形の凹部３３は、水平の背骨線３５と、上下に延びる肋骨線３６に接している。
背面立壁１２の内面には、リブ３９が３条設けられている。
【００５５】
次に左側立壁１３及び右側立壁１５について説明するが、両者は同一構造であるから、代表して右側立壁１５を詳細に説明する。
右側立壁１５の外壁側に注目すると、右側立壁１５の下から２ｃｍ程度の高さの位置に下フランジ４０が設けられている（図１，３，７，８）。下フランジ４０は、右側立壁１５の本体部分から垂直方向外側に向かって突出する壁であり、その稜線は、内底面１０と平行に延びている。
下フランジ４０は、右側立壁１５の全幅に渡って形成されている。
本実施形態では、下から２ｃｍ程度の高さの位置に下フランジ４０を設けたが、下フランジ４０の位置はこれと異なっていてもよい。好ましい下フランジ４０の高さは、下から１．５ｃｍ以上、３ｃｍ以下である。下フランジ４０の高さは、少なくとも下から１ｃｍ以上の高さの位置に設けられる。
【００５６】
そして本実施形態の薬品トレイ１では、図３，１０，１１の様に、下フランジ４０を境として、右側立壁１５の構造が大きく異なっている。
即ち下フランジ４０よりも上の領域は、図３，１０，１１の様に、多数の開口４３が設けられている。これに対して下フランジ４０よりも上の領域には、開口は一切存在しない。
下フランジ４０よりも上の領域に注目すると、図１，３，１０，１１の様に  、小さな長方形の開口４３が多数設けられている。即ち長方形の開口４３は、横３列に規則正しく並べられており、全体的に網状を呈している。
即ち図１１の様に、開口４３の幅Ｗａは、その周囲の桟の部位の幅ｗａよりも広い。そのため下フランジ４０よりも上の領域は、中空部分の総面積の方が、中実部分の総面積よりも広い。
ただし、後記する係合溝形成リブ５１ａ，５１ｂに相当する部位については、開口４３が埋められた状態となっており、当該部分は、凹部状となっている。
【００５７】
下フランジ４０よりも下の領域に目を移すと、当該領域には、長方形の凹部４５が横一列に並べられている。
長方形の凹部４５の幅Ｗｂは、前記した開口４３の幅Ｗａと同一（図１１）である。また長方形の凹部４５と前記した開口４３は、下フランジ４０を挟んで縦に一列に配されている。
同様に、凹部４５の間の縦線の幅ｗｂは、開口４３の周囲の桟の幅ｗａと同一であり、且つ両者は直線上に並んでいる。
【００５８】
次に右側立壁１５の内壁側の構造について説明する。
本実施形態では、右側立壁１５の内壁側に１１条の係合溝５０が等間隔に設けられている。
これらの係合溝５０は、いずれも同一である。
係合溝５０は、図１５の様に、二つの係合溝形成リブ５１ａ，５１ｂによって形成されている。
係合溝形成リブ５１ａ，５１ｂは、縦一列の開口４３を挟んで対峙し、両者の間で係合溝５０が形成されている。
【００５９】
即ち係合溝形成リブ５１ａ，５１ｂは、いずれも右側立壁１５の内壁側から垂直に突出するものであり、その稜線は、天地方向に延びている。
ここで係合溝形成リブ５１ａ，５１ｂの稜線は、底部側から天地方向一定の高さまでは、右側立壁１５の内壁と平行であるが、上部側については、右側立壁１５に向かって傾斜する。即ち係合溝形成リブ５１ａ，５１ｂの高さ（突出方向の長さ）は、下端から一定の高さ（天地方向の高さ）のＬ領域は、一定であるが、それ以上のＨ領域は、高さ（突出方向の長さ）が暫時低くなっている。
【００６０】
また係合溝形成リブ５１ａ，５１ｂの高さ（突出方向の長さ）が平行となっているＬ領域には、内向きにフランジ５２が設けられている。
言い換えると、図１５の様に係合溝形成リブ５１ａ，５１ｂは、台形形状の側壁部５３があり、当該台形の上辺に相当する位置にフランジ５２が設けられている。逆に言うと、台形の斜辺に相当する部位（Ｈ領域）には、フランジは無い。
【００６１】
前記した様に、係合溝５０は、対峙する係合溝形成リブ５１ａ，５１ｂの間で構成されるものであるから、係合溝５０の溝幅は、天地方向のいずれの高さにおいても同一である。
しかしながら、係合溝５０の開口幅は、高さ方向で異なっている。即ち底部側から一定の高さまでは、前記したフランジ５２が設けられており、開口部分を覆っているから、当該部分については、開口幅が狭い。
【００６２】
次に、仕切り板３ａ，３ｂ，３ｃについて説明する。３枚の仕切り板３ａ，３ｂ，３ｃは同一構造であるから、仕切り板３ｂとしてその構造を説明する。
仕切り板３ｂは、図１２の様に使用時の姿勢を基準として、上辺（長辺）７１と下辺（長辺）７２及び左右側辺（短辺）７３，７４を有する長方形である。
仕切り板３ｂは、その高さ（側辺７３，７４の長さ）が、前記した係合溝形成リブ５１ｂのＬ領域の長さに等しい。また仕切り板３ｂの全長（長辺７１，７２の長さ）は、対向する右側立壁１５と左側立壁１３の内法と等しい。
仕切り板３ｂの全周には、フランジ部が形成されている。即ち仕切り板３ｂの中央部分は、厚さの薄い板であり、仕切り板３ｂの上辺７１、下辺７２、左側辺７３、右側辺７４にそれぞれフランジ５４ａ，５４ｂ，５４ｃ，５４ｄが設けられている。
【００６３】
また仕切り板３ｂの中央部分であって高さ方向の中心部には、中央補強桟７５が水平に延びている。さらに中央補強桟７５を中心として、縦補強桟７６が３本設けられている。
【００６４】
前記した仕切り板３ｂの辺部に設けられたフランジの内、下辺７２に設けられた下辺フランジ５４ｂには、４個の保持片５５ａ，５５ｂ，５５ｃ，５５ｄが設けられ、二組の係合部５７ａ，５７ｂを構成している。
即ち下辺フランジ５４ｂの一方の辺から下方向に向かって２個の保持片５５ａ，５５ｃが垂下され、下辺フランジ５４ｂの他方の辺から下方向に向かってさらに２個の保持片５５ｂ，５５ｄが垂下されている。
仕切り板３ｂの全体から各保持片５５ａ，５５ｂ，５５ｃ，５５ｄの位置を表現すると、保持片５５ａ，５５ｃは、仕切り板３ｂの板厚方向の表側側から垂下された表面側保持片５５ａ，５５ｃであり、保持片５５ｂ，５５ｄは、板厚方向の裏面側から垂下された裏面側保持片５５ｂ，５５ｄである。
【００６５】
本実施形態では、表面側保持片５５ａ，５５ｃと裏面側保持片５５ｂ，５５ｄとは、食い違いの位置にある。即ち表面側保持片５５ａ，５５ｃの仕切り板底辺の長手方向の位置と、裏面側保持片５５ｂ，５５ｄの仕切り板底辺の長手方向の位置とが食い違っている。
ただし表面側保持片５５ａと裏面側保持片５５ｂとは近接した位置にあり、実質的に一組の係合部５７ａを構成している。
同様に、表面側保持片５５ｃと裏面側保持片５５ｄとは近接した位置にあり、実質的に一組の係合部５７ｂを構成している。
本実施形態では、各保持片５５の内面が保持面５８として機能する。
【００６６】
また前記した仕切り板３ｂの辺部に設けられたフランジの内、右側辺に設けられた右側辺フランジ５４ｃと、左側辺に設けられた左側辺フランジ５４ｄの表面には、突起６０が設けられている。
突起６０の高さ方向の位置は、右側辺フランジ５４ｃの上端近傍である。また突起６０の板厚方向の位置は、板厚方向の中心である。
突起６０の側面形状は、略三角形であって逆止め構造となっている。即ち突起６０は、下方向に向いた面４７の傾斜が緩斜面であり、上方向に向いた面４８は、これよりも急斜面である（図１５）。
また本実施形態では、右側辺フランジ５４ｃと左側辺フランジ５４ｄは、その厚さが一様ではなく、図１５の様に下側に向かう程、厚さが薄くなっている。
そのため右側辺フランジ５４ｃと左側辺フランジ５４ｄを側面側から観察すると、逆三角形を呈している。
【００６７】
表示部材用ホルダー表示部材用ホルダー４は、板状であり、その表面にカード係止部（図示せず）が設けられている。また表示部材用ホルダー４の周面には、トレイ本体２の開口３２の端面と係合する係合溝６４が設けられている。また表示部材用ホルダー４には図示しない係合爪がある。
【００６８】
次に本実施形態の薬品トレイ１の各部材の位置関係について説明する。
前記した様に、薬品トレイ１は、一つのトレイ本体２と、３枚の仕切り板３ａ，３ｂ，３ｃ及び表示部材用ホルダー４によって構成されている。
３枚の仕切り板３ａ，３ｂ，３ｃ及び表示部材用ホルダー４は、トレイ本体２に取り付けられている。
即ち表示部材用ホルダー４は、トレイ本体２の正面立壁１１の開口３２に装着されている。ここで表示部材用ホルダー４の周辺部に設けられた係合溝６４が、トレイ本体２の開口３２の端面と係合している。そして図示しない係合爪が、トレイ本体２の一部と係合し、表示部材用ホルダー４の脱落を防止している。
【００６９】
３枚の仕切り板３ａ，３ｂ，３ｃは、トレイ本体２の凹部１７内にあり、それぞれ右側立壁１５及び左側立壁１６の係合溝５０ａ，５０ｂ，５０ｃ及び内底面１０の短手方向のリブ２２ａ，２２ｂ，２２ｃと係合している。
【００７０】
中央の仕切り板３ｂを例に詳細に説明すると、仕切り板３ｂの右側辺たる右側辺フランジ５４ｃと、左側辺たる左側辺フランジ５４ｄが、右側立壁１５及び左側立壁１６の係合溝５０ｂに挿入されている。ここで係合溝５０ｂの下半分の部位には、フランジ５２が設けられていて開口幅が狭い。より具体的には、係合溝５０ｂの開口幅は、フランジ５４ｃ，５４ｄの幅よりも狭い。そのため周部のフランジ５４ｃ，５４ｄだけが、係合溝５０ｂ内に収容され、仕切り板３ｂの壁本体の肉厚の薄い部位が、係合溝５０ｂの開口から外側に出る。
また図１６の様に、仕切り板３ｂが装着された状態においては、右側辺フランジ５４ｃに設けられた突起６０が、図１６の様に右側立壁１５の開口４３の一つ内に入り込み、突起６０が開口４３の内周と係合している。
【００７１】
仕切り板３ｂを装着する際は、仕切り板３ｂをトレイ本体２の上部側から縦姿勢で押し込み、仕切り板３ｂの右側辺フランジ５４ｃと、左側辺フランジ５４ｄを係合溝５０ｂに挿入することとなるが、係合溝形成リブ５１ａ，５１ｂは、天地方向の上部側が低くなっている。即ち、係合溝５０ｂは、天地方向に延びているが、天側については係合溝５０ｂの深さが浅い。そのため仕切り板３ｂを撓ませることによって、容易に右側辺フランジ５４ｃと、左側辺フランジ５４ｄを係合溝５０ｂの位置に合致させることができる。
さらに右側辺フランジ５４ｃと左側辺フランジ５４ｄを側面側から観察すると、図１５の様に逆三角形を呈しており、下側の厚さが薄いから、容易に右側辺フランジ５４ｃと、左側辺フランジ５４ｄを係合溝５０ｂの位置に合致させることができる。
【００７２】
そして右側辺フランジ５４ｃと左側辺フランジ５４ｄの位置を係合溝５０ｂの位置と合致させた後、仕切り板３ｂを下方向に押し込むことにより、右側辺フランジ５４ｃと左側辺フランジ５４ｄを係合溝５０ｂの開口が狭い部位に装着させることができる。
また前記した右側辺フランジ５４ｃ及び左側辺フランジ５４ｄに設けられた突起６０は、図１５の様に下方向に向いた面４７の傾斜が緩斜面であり、上方向に向いた面４８が急斜面であるから、仕切り板３ｂを下方向に押し込む際には抵抗が小さく、仕切り板３ｂを抜き方向に移動させる場合には、大きな抵抗を生じさせる。そのため、本実施形態の薬品トレイ１は、仕切り板３を装着し易く、且つ仕切り板３の取り付け強度が高い。
【００７３】
また本実施形態の薬品トレイ１では、図１３、図１４の様に、仕切り板３ｂに設けられた一組の係合部５７ａが、リブ２１，２２の交差部２６にあり、他の一組の係合部５７ｂがリブの交差部２６にある。
また図１３、図１４の様に、仕切り板３ｂの下辺たる下辺フランジ５４ｂが、トレイ本体２の内底面１０のリブ２２ｂと係合している。
即ち下辺フランジ５４ｂに設けられた表面側保持片５５ａと裏面側保持片５５ｂとが一組の係合部５７ａを構成し、当該表面側保持片５５ａと裏面側保持片５５ｂが、リブ２２ｂの側面を保持している。即ち表面側保持片５５ａと裏面側保持片５５ｂの保持面５８が、リブ２２の側面と接している。
また表面側保持片５５ａと裏面側保持片５５ｂとの対向する端面５９が、交差部２６近傍の他のリブ２１と接している。
この様に、表面側保持片５５ａと裏面側保持片５５ｂの保持面５８がリブ２１，２２の交差部２６を挟んで縦横方向のリブ２１，２２の内の一方のリブ２２を保持し、且つ裏面側保持片と表面側保持片の端面は縦横方向リブの内の他方のリブ２１と当接している。
【００７４】
また下辺フランジ５４ｂの表面は、リブ２２ｂの頂面と接している。そのため下辺フランジ５４ｂの表面が、リブ２２ｂの頂面を保持し、表面側保持片５５ａと裏面側保持片５５ｂの保持面５８がリブ２２ｂの両側面を保持することとなり、リブ２２ｂの３面が下辺フランジ５４ｂの及び保持片５５ａ，５５ｂによって保持される。
【００７５】
同様に、下辺フランジ５４ｂに設けられた表面側保持片５５ｃと裏面側保持片５５ｄとが一組の係合部を構成しリブ２２ｂの側面を保持している。
本実施形態では、表面側保持片５５ｃと裏面側保持片５５ｄとが食い違った位置にあるから、個別に幅方向に移動可能である。そのため仕切り板３ｂを下方向に押し込む際に、表面側保持片５５ｃと裏面側保持片５５ｄの幅方向（仕切り板の肉厚方向）の間隔が容易に変化し、仕切り板３ｂを装着し易い。
その一方で、表面側保持片５５ａ，５５ｃと裏面側保持片５５ｂ，５５ｄの位置は、比較的近いので、相当のリブに対する抱きつき力を発現させることができる。
また本実施形態では、表面側保持片５５ａ，５５ｃと裏面側保持片５５ｂ，５５ｄは、リブの交差部２６を保持するので、仕切り板３がしっかりとトレイ本体２に固定される。
【００７６】
次に、これまで説明した各部の構造によって発揮される機能について説明する。
【００７７】
本実施形態の薬品トレイ１は、全体に肉厚が薄い。また左側立壁１３及び右側立壁１５に多数の開口４３が設けられている。さらに、各立壁に、長方形の凹部４５が設けられている。そのため本実施形態の薬品トレイ１は、従来の同等の内容積の薬品トレイ１００と比較して、重量が軽く、扱いやすい。
一方、本実施形態の薬品トレイ１は、トレイ本体２の内底面１０にリブ２１，２２が設けられているから、内底面１０の断面係数を確保することができる。また本実施形態の薬品トレイ１は、仕切り板３の両端が左側立壁１３及び右側立壁１５と係合し、仕切り板３の下面がトレイ本体２の内底面１０のリブ２２と係合している。そのため仕切り板３は、トレイ本体２に対して一体性が高く、全体の断面係数を上昇させると共に、トレイ本体２の歪みを防ぐ機能を発揮する。
これらの点から、本実施形態の薬品トレイ１は、軽量であるにも係わらず、従来と同等の剛性を発揮する。
【００７８】
また左側立壁１３及び右側立壁１５に多数の開口４３は、一定の高さ以上の位置に設けられているから、薬品トレイ１内に液が零れても、液は外部には流れ込まない。
特に、薬品トレイ１は、図１７の様に積み重ねられて使用される場合が多いが、下側の薬品トレイ１との間は、下フランジ４０で遮蔽されているから、薬剤が下の薬品トレイ１に入り込むことはない。
即ち、前記した下フランジ４０は、薬品トレイ１が積み重ねられた際に、下の薬品トレイ１の頂部の開口側フランジ部２０と当接し、上の薬品トレイ１が下の薬品トレイ１内に落ち込むことを阻止する機能がある。そしてそれに加えて、開口４３から液体が漏れた際には、図１８の様に上記した下フランジ４０が庇の役目を果して下の薬品トレイ１に薬剤が進入することを阻止する。
【００７９】
また正面側の収納エリアには、表示部材用ホルダー４が取り付けられる開口３２があるが、開口３２の周囲は、土手部３１が巡らされているので、開口３２と表示部材用ホルダー４の隙間から液体が漏れ出る懸念も少ない。
さらに、本実施形態では、底部の縦横にリブ２１，２２が走り、トレイ本体２の内底面１０を区画している。そのためわずかな液漏れであるならば、リブ２１，２２によって蔓延が阻止され、汚染は、個々の区画内だけで収まる。
【００８０】
また本実施形態の薬品トレイ１は成形も容易である。本実施形態の薬品トレイ１は、熱可塑性樹脂を原料とする射出成形によって成形されることが望ましいが、成形型は、図１９の様な４分割可能な成形型８０で足る。
また本実施形態の薬品トレイ１は、多数の凹部３３があり、当該凹部３３は、特に肉厚が薄い。ここで、一般に、肉厚が薄い部位は、成形型の隙間が狭く、樹脂を回り込ませ難い。
これに対して、本実施形態では、凹部３３同士の間に、背骨線３５と、肋骨線３６が設けられている。この背骨線３５と、肋骨線３６は、肉厚の厚い部位であるから、逆に成形型の隙間は広い。そのため本実施形態の薬品トレイ１は、成形時に、樹脂は背骨線３５や肋骨線３６の部位を経由して凹部３３に流れ込むことができ、各部に完全に樹脂を行き渡らせることができる。
【００８１】
次に、本実施形態の薬品トレイ１が採用する防音対策について説明する。
前記した様に、薬剤払出装置２００や調剤システム１１０では、ローラコンベア等の搬送コンベア１１６によって薬品トレイ１が搬送される。搬送時における騒音の多くは、薬品トレイ１の裏面側の外側接地面７０と、コンベア装置との接触によって発生する音である。
【００８２】
図２１，２２は、本実施形態の薬品トレイ１の裏面側の外側接地面７０を図示している。
なお、薬品トレイ１の外側接地面７０には、さまざまな凹凸があるが、最も下側に突出した位置を基準平面とする。
本実施形態の薬品トレイ１の外側接地面７０には、長手方向に２本の溝６１ａ，６１ｂがある。また外側接地面７０の短手方向に３本の溝６２ａ，６２ｂ，６２ｃがある。
ここで、短手方向に設けられた３本の溝６２ａ，６２ｂ，６２ｃに注目すると、溝６２ａ，６２ｂ，６２ｃはいずれも連続しておらず、５か所の領域に分断されている。即ち、溝６２ａ，６２ｂ，６２ｃは、それぞれ４か所の部位で埋められている。
より具体的に説明すると、各溝６２ａ，６２ｂ，６２ｃは、中央部分で２本の線（埋設部）６３によって分断されている。
さらにその脇に、それぞれ一個づつリング状の部位（埋設部）６６があり、リング状の部位６６によっても各溝６２ａ，６２ｂ，６２ｃが埋設されて分断されている。
また中央部分で２本の線６３および、リング状の部位６６の表面の高さは、基準面の高さと同一である。即ち２本の線６３および、脇のリング状の部位６６の表面は、基準面と同一平面を形成している。この様に、本実施形態では、埋設部たる線６３とリング状の部位６６の表面は、基準面と同一の平面である。
なお本実施形態では、リング状の部位６６の中心に成形時のゲート跡がある。
【００８３】
また外側接地面７０の両側面近傍には、平行四辺形状の凹部６７が多数並べて設けられている。この一群の凹部６７は、長穴状であって、四角形の外側接地面７０に対して斜め方向に延びている。
凹部６７の内側については、当然に基準面よりも凹んでいるが、凹部６７の周囲は基準面と同一の高さである。
また長手方向に延びる２本の溝６１ａ，６１ｂの周囲にも、長方形の凹部６８が設けられている。この凹部６８についても内側については、当然に基準面よりも凹んでいるが、凹部６８の周囲は基準面と同一の高さである。
【００８４】
本実施形態の薬品トレイ１の外側接地面７０の細部は、前記した通りであるが、これを巨視的に見たとき、外側接地面７０の短方向で全ての位置が凹部となっている部位は存在しない。
即ち図２２に示す様に、外側接地面７０の短辺と平行に、ａ−ａ線、ｂ−ｂ線・・・と無数の平行線を想定したとき、いずれの平行線についても、２点以上で基準面に当たる。
従って、例えば図２０の様に、ローラコンベア等の搬送コンベア１１６に薬品トレイ１が載置されて搬送された際、搬送コンベア１１６のローラ６９が落ち込むことは無い。
即ち搬送コンベア１１６のローラ６９に薬品トレイ１が載置された場合、ローラ６９と薬品トレイ１の接線は、図２２のａ−ａ線、ｂ−ｂ線・・・の様な短辺と平行な直線となる。そして本実施形態では、いずれの平行線についても、２点以上で基準面に当たるから、ローラコンベアで搬送中、常に二箇所以上の基準面で支持され、ローラコンベアが凹部の底の部位と接触することはない。そのため、本実施形態の薬品トレイ１は、搬送時における騒音が小さい。
【００８５】
なお、本実施形態では、前記した様に、長手方向に２本の溝６１ａ，６１ｂがあり、また外側接地面７０の短手方向に３本の溝６２ａ，６２ｂ，６２ｃがあるが、これらの溝６１，６２は、表面（内底面）側のリブ２１ａ，２１ｂ，２２ａ，２２ｂ，２２ｃを設けたために現れてしまったものである。
【００８６】
即ち本実施形態では、内底面の剛性を高めるために表面（内底面）側にリブ２１ａ，２１ｂ，２２ａ，２２ｂ，２２ｃを設けた。しかし底板の厚さ自体は、変えなかったので、表面（内底面）側のリブ２１ａ，２１ｂ，２２ａ，２２ｂ，２２ｃに相当する部位は、溝状になってしまった。
この溝６１ａ，６１ｂ，６２ａ，６２ｂ，６２ｃは、裏面側に突出するものではないから、ローラコンベア等のローラが衝突する機会は少ない。しかしながら、搬送コンベア１１６のローラ６９が嵌まり込んでしまう懸念があるので、前記した様に、中央部分の２本の線６３と、リング状の部位６６によって溝６１ａ，６１ｂ，６２ａ，６２ｂ，６２ｃを分断した。
その結果、搬送時における騒音が抑制された。
【００８７】
以上説明した実施形態では、トレイ本体２に３枚の仕切り板３ａ，３ｂ，３ｃを装着して凹部１７内を４区画に仕切ったが、仕切り板３の装着数は任意である。
例えば、仕切り板３を一枚だけ装着してトレイ本体２を２区画に仕切ってもよい。逆により多数の仕切り板３を装着してトレイ本体２をより多数の区画に仕切ってもよい。
なお上記した実施形態では、左側立壁１３及び右側立壁１５にそれぞれ１１個の係合溝５０が設けられているから、最大で、１１個の仕切り板３を装着することができる。
ただし、仕切り板３の装着数が少ない場合には、リブ２１の上部に装着することが望ましい。
【００８８】
本実施形態の薬品トレイ１の構成と効果を簡単にまとめると次の通りである。
即ち、本実施形態の薬品トレイ１は、トレイ本体２と、トレイ本体２の凹部１７を複数の区画に仕切る仕切り板３とを有する薬品トレイ１であって、前記トレイ本体２は、略四角形の内底面１０と、底面の４辺から立設された正面立壁１１、背面立壁１２及び左右立壁１３，１５があり、上方が開放されていて、内底面１０と前記４面の立壁１１，１２，１３，１５によって前記凹部１７が形成される薬品トレイ１であり、前記トレイ本体２の対向する一組又は二組の立壁１３，１５に仕切り板３の側面が係合する係合溝５０があり、前記トレイ本体２の内底面１０にはリブ２１があり、仕切り板３の前記内底面１０側と対向する辺に、前記リブ２１を保持する保持片５５が設けられており、仕切り板３の側面がトレイ本体２の係合溝５０と係合し、仕切り板３の保持片５５が仕切り板３の前記リブ２１を保持した状態で、仕切り板３がトレイ本体２に装着されている。
【００８９】
そのため本実施形態の薬品トレイ１は、剛性を確保しつつ、軽量化を図ることができる。    
【００９０】
また本実施形態の薬品トレイ１は、トレイ本体２と、トレイ本体２の凹部１７を複数の区画に仕切る仕切り板３とを有する薬品トレイ１であって、前記トレイ本体２は、略四角形の内底面１０と、底面の４辺から立設された正面立壁１１、背面立壁１２及び左右立壁１３，１５があり、上方が開放されていて、内底面１０と前記４面の立壁１１，１２，１３，１５によって前記凹部１７が形成される薬品トレイ１であり、前記トレイ本体２の外周の底面（外側接地面７０）に、多数の凹部６７，６８があり、前記凹部の中の一群は、長穴状であって、四角形の底面に対して斜め方向に延びている。
【００９１】
そのため本実施形態の薬品トレイ１は、搬送時の騒音が低い。
【００９２】
また本実施形態の薬品トレイ１は、トレイ本体２と、トレイ本体２の凹部１７を複数の区画に仕切る仕切り板３とを有する薬品トレイ１であって、前記トレイ本体２は、略四角形の内底面１０と、底面の４辺から立設された正面立壁１１、背面立壁１２及び左右立壁１３，１５があり、上方が開放されていて、内底面１０と前記４面の立壁１１，１２，１３，１５によって前記凹部１７が形成される薬品トレイ１であり、前記トレイ本体２のいずれかの立壁１１，１２，１３，１５の外側下部には、当該立壁から突出すると共に薬品トレイ１が重ねられた際に他の薬品トレイ１の上端に当接するフランジ部（下フランジ４０）があり、フランジ部が設けられた立壁１３，１５の少なくとも一つには、フランジ部よりも上部側に多数の開口４３が設けられている。
【００９３】
本実施形態の薬品トレイ１は、重ねられた際、下の薬品トレイ１の中に入るのは、フランジ部（下フランジ４０）よりも下の部分である。本実施形態の薬品トレイ１は、フランジ部よりも上に開口４３があるから、上の液の注射薬や輸液が漏れても、下の薬品トレイ１に入らない。即ち漏れた液は、フランジブ部が庇になって下の薬品トレイ１の外に流れる。そのため、下の薬品トレイ１は汚染されない。
また本実施形態の薬品トレイ１は、開口があるから軽い。
【００９４】
本実施形態の薬品トレイ１は、内底面１０の凹部１７側には、縦横方向にそれぞれ複数のリブ２１，２２があり、内底面１０は前記リブ２１，２２によって複数の閉塞された領域に区切られている。
【００９５】
そのため液が漏れても少量ならば、閉塞されたエリア内で止まる。
また本実施形態の薬品トレイ１は、内底面１０の凹部１７側に縦横方向に複数のリブ２１，２２があるから、薬品トレイ１内に収容された医薬品等が動き難いという効果もある。
また本実施形態の薬品トレイ１は、図２３乃至図２７の様に、凹部１７側に縦横方向に複数のリブ２１，２２があるから、意匠的にも特徴がある。
【符号の説明】
【００９６】
１  薬品トレイ
３ａ，３ｂ，３ｃ  仕切り板
４  表示部材用ホルダー
５ａ，５ｂ，５ｃ，５ｄ  区画
１０  内底面
１１  正面立壁
１２  背面立壁
１３  左側立壁
１５  右側立壁
１７  凹部
２０  開口側フランジ部
２１ａ，２１ｂ  リブ
２２ａ，２２ｂ，２２ｃ  リブ
２３  区画
２６  リブ交差部
３０  切り欠き部
３２  開口
３３  凹部
３５  背骨線
３６  肋骨線
４０  下フランジ
４３  開口
４５  凹部
５０  係合溝
５１ａ，５１ｂ  係合溝形成リブ
５２  フランジ
５４ａ，５４ｂ，５４ｃ，５４ｄ  フランジ
５５ａ，５５ｂ，５５ｃ，５５ｄ  保持片
５７ａ，５７ｂ  係合部
５８  保持面
５９  端面
６０  突起
６１ａ，６１ｂ  溝
６２ａ，６２ｂ，６２ｃ  溝
６３  線（埋設部）
６６  リング状の部位（埋設部）
６７  凹部
６８  凹部
６９  ローラ
７０  外側接地面
８０  成形型
【図１】
0005975265.tif 000002
【図２】
0005975265.tif 000003
【図３】
0005975265.tif 000004
【図４】
0005975265.tif 000005
【図５】
0005975265.tif 000006
【図６】
0005975265.tif 000007
【図７】
0005975265.tif 000008
【図８】
0005975265.tif 000009
【図９】
0005975265.tif 000010
【図１０】
0005975265.tif 000011
【図１１】
0005975265.tif 000012
【図１２】
0005975265.tif 000013
【図１３】
0005975265.tif 000014
【図１４】
0005975265.tif 000015
【図１５】
0005975265.tif 000016
【図１６】
0005975265.tif 000017
【図１７】
0005975265.tif 000018
【図１８】
0005975265.tif 000019
【図１９】
0005975265.tif 000020
【図２０】
0005975265.tif 000021
【図２１】
0005975265.tif 000022
【図２２】
0005975265.tif 000023
【図２３】
0005975265.tif 000024
【図２４】
0005975265.tif 000025
【図２５】
0005975265.tif 000026
【図２６】
0005975265.tif 000027
【図２７】
0005975265.tif 000028
【図２８】
0005975265.tif 000029
【図２９】
0005975265.tif 000030
【図３０】
0005975265.tif 000031